(57)【要約】【課題】雌ハウジングにおけるコンタクトの保持力を確保するとともに、コンタクト同士の接触長さを長くできるコネクタ組立体を提供する。【解決手段】雌型のリセプタクルハウジング２０の受容キャビティ２４の前端面には凸部３４が形成される。また、雄型のプラグハウジング６０の前端面には凹部６２が形成される。コネクタ組立体１は、プラグハウジング６０の凹部６２に、リセプタクルハウジング２０の凸部３４が挿入された状態で、リセプタクルコネクタ１０とプラグコネクタ５０とが嵌合される。コンタクト４０は、凸部３４及び凹部６２を貫通して、対応するコンタクト７０と接触される。このコネクタ組立体１によれば、コンタクト４０を圧入する保持孔３２が凸部３４に形成されているので、コンタクト４０の圧入代が長くなる。また、コンタクト４０とコンタクト７０との接触長さをより長くすることができる。【選択図】図４
2010113976.tif 000002
【特許請求の範囲】
【請求項１】
雌型の第１コネクタと雄型の第２コネクタとが互いに嵌合されて構成される電気コネクタ組立体であって、
前記第１コネクタは、
複数の第１コンタクトと、
複数の前記第１コンタクトが保持され、かつ前記第２コネクタを受容する受容キャビティを有する雌型の第１ハウジングと、を備え、
前記第２コネクタは、
前記第１コネクタの前記第１コンタクトと接触する複数の前記第２コンタクトと、
複数の前記第２コンタクトが保持される雄型の第２ハウジングと、を備え、
前記第１ハウジングの前記受容キャビティの底面に凸部が形成され、
前記受容キャビティの前記底面と対向する前記第２ハウジングの前端面に、前記凸部に対応する凹部が形成され、
前記凹部に前記凸部が挿入された状態で、前記第１コネクタと前記第２コネクタとが嵌合され、
少なくとも１本以上の前記第１コンタクトは、前記凸部及び前記凹部を貫通して前記第２コンタクトと接触することを特徴とする電気コネクタ組立体。
【請求項２】
前記凸部は、所定数の前記第１コンタクトごとに形成され、
前記凹部は、前記凸部に対応して形成されることを特徴とする請求項１に記載の電気コネクタ組立体。
【請求項３】
前記第２ハウジングは、前記第２コンタクトを保持するハウジング本体と、前記ハウジング本体を収容するカバーハウジングとからなり、
前記カバーハウジングの前端面が前記ハウジング本体の前端面より突出することにより、前記凹部が形成され、
前記カバーハウジングは、前記凹部に対応する前側壁を備えることを特徴とする請求項１に記載の電気コネクタ組立体。
【発明の詳細な説明】
【技術分野】
【０００１】
本発明は、雌型のハウジングを有する電気コネクタ（雌コネクタ）と、前記雌コネクタと嵌合される雄型のハウジングを有する電気コネクタ（雄コネクタ）とからなる電気コネクタ組立体に関するものである。
【背景技術】
【０００２】
電子機器の小型化、低背化を目的として、電子回路の実装密度を向上するために、あるいは複数の回路基板（以下、単に基板という）を上下方向に配置するために、一方又は双方の電気コネクタ（以下、単にコネクタという）を基板上に実装することが広く行なわれている。このコネクタは、一般に、雌型のリセプタクルコネクタと雄型のプラグコネクタとが互いに嵌合される組立体から構成される。リセプタクルコネクタは、雄コンタクトと、雄コンタクトを保持する雌型のハウジングとを主たる構成要素としている。また、プラグコネクタは、リセプタクルコネクタの雄コンタクトと電気的に接続される雌コンタクトと、雌コンタクトを保持する雄型のハウジングとを主たる構成要素としている。雌ハウジングがフード状の受容キャビティを備え、この受容キャビティの内部に雄ハウジングが受容されて、コネクタ組立体を構成する（例えば、特許文献１、特許文献２）。
【０００３】
【特許文献１】特開２００２−１５１２０７号公報
【特許文献２】特開２００６−２１６４３３号公報
【発明の開示】
【発明が解決しようとする課題】
【０００４】
電子機器の小型化に伴い、コネクタを基板に実装することに加えて、コネクタ（組立体）自体を小型化することが要求されている。コネクタを小型化するための一つの方策として、ハウジングを薄肉化することが考えられる。しかし、ハウジングに設けられた保持孔にコンタクトを圧入してコンタクトを保持するコネクタの場合、特に雌ハウジングは、コンタクト保持部分を厚くできないため、コンタクト保持部分をさらに薄肉化すると、コンタクトを保持する力が不足して、ハウジングの基本的な機能を低下させるおそれがある。一方で、コンタクトの保持力を確保するために、雌ハウジングのコンタクト保持部分の肉厚を厚くすると、コンタクト同士が接触する長さが短くなる。この場合、例えば、リセプタクルコネクタが基板に実装され、プラグコネクタがワイヤハーネスに接続されるコネクタ組立体においては、ワイヤハーネスが引っ張られると、コンタクト同士の接触が確保できなくなるおそれがある。
本発明は、このような課題に基づいてなされたもので、雌型ハウジングにおけるコンタクトの保持力を確保するとともに、コンタクト同士の接触長さを長くできるコネクタ組立体を提供することを目的とする。
【課題を解決するための手段】
【０００５】
本発明のコネクタ組立体は、雌型の第１コネクタと雄型の第２コネクタとが互いに嵌合されて構成されるものであり、第１コネクタは、第２コネクタの第２コンタクトと接触する複数の第１コンタクトと、複数の第１コンタクトが保持され、かつ第２コネクタを受容する受容キャビティを有する雌型の第１ハウジングと、を備えている。また、第２コネクタは、第１コネクタの第１コンタクトと接触する複数の第２コンタクトと、複数の第２コンタクトが保持される第２保持部を有する雄型の第２ハウジングと、を備えている。
以上の基本的な構成を有する本発明のコネクタ組立体は、第１ハウジングの受容キャビティの底面に凸部が形成される。また、受容キャビティの底面と対向する第２ハウジングの前端面に、凸部に対応する凹部が形成される。そして、本発明のコネクタ組立体は、凹部に凸部が挿入された状態で、第１コネクタと第２コネクタとが嵌合され、少なくとも１本以上の第１コンタクトが、凸部及び凹部を貫通して第２コンタクトと接触する。
【０００６】
本発明のコネクタ組立体は、第１コネクタの第１ハウジングに凸部を設けることにより、保持部の厚さを確保しにくい雌型の第１ハウジングにおける第１コンタクトの保持力を確保する。一方で、凹部に凸部が挿入された状態で、第１コネクタと第２コネクタとが嵌合されるので、第１コネクタと第２コネクタとの接触長さを長くすることができる。
【０００７】
本発明のコネクタ組立体は、１つの第１コンタクトごとに凸部を形成し、また、１つの第２コンタクトごとに凹部を形成することもできる。しかし、第１コンタクト、第２コンタクトを夫々多数備える多極のコネクタ組立体の場合、第１（第２）コンタクト同士の間隔が狭いので、射出成形により作成される雌型または雄型のハウジングにおいて、１つの第１（第２）コンタクトごとに凸部（凹部）を形成することは容易ではない。したがって、多極のコネクタ組立体の場合、所定数の第１コンタクトごとに凸部を形成し、凸部に対応して凹部を形成することが好ましい。
本発明のコネクタ組立体は、第２ハウジングが単体で構成される場合の他、第２ハウジングが、第２コンタクトを保持するハウジング本体と、ハウジング本体を収容するカバーハウジングとからなる場合に適用される。この場合、カバーハウジングの前端面がハウジング本体の前端面より突出することにより凹部を形成することができる。そして、カバーハウジングは、凹部に対応する部分を開口することができるし、凹部に対応する部分に前側壁を備えることもできる。
【発明の効果】
【０００８】
本発明によれば、雌型ハウジングにおけるコンタクトの保持力を確保するとともに、コンタクト同士の接触長さを長くできるコネクタ組立体を提供できる。
【発明を実施するための最良の形態】
【０００９】
＜第１実施形態＞
以下、添付図面に示す実施の形態に基づいてこの発明を詳細に説明する。
図１は本実施の形態に係る雌型のリセプタクルコネクタ（第１コネクタ）１０を前方から視た斜視図、図２はリセプタクルコネクタ１０を後方から視た斜視図である。また、図３はリセプタクルコネクタ１０と雄型のプラグコネクタ（第２コネクタ）５０とが互いに嵌合されて構成される電気コネクタ組立体１の横断面図、図４は図３に示すリセプタクルコネクタ１０とプラグコネクタ５０とを分離した状態の横断面図である。
【００１０】
リセプタクルコネクタ１０は、絶縁性のハウジング２０と、複数の導電性のコンタクト４０と、絶縁性のタインプレート４５、４７とを備えている。ハウジング２０は、その下面が基板（図示せず、以下同じ）の表面に接触した状態で、基板の所定位置に位置決めされる。
プラグコネクタ５０は、絶縁性のハウジング６０と、複数の導電性のコンタクト７０とを備えている。プラグコネクタ５０は、リセプタクルハウジング２０の受容キャビティ２４〜２６に受容され、リセプタクルハウジング２０と互いに嵌合されて、コネクタ組立体１を構成する。
以下、リセプタクルコネクタ１０、プラグコネクタ５０の順に、主たる要素について説明する。
【００１１】
＜リセプタクルハウジング２０＞
複数のコンタクト４０を保持する雌型のリセプタクルハウジング（第１ハウジング）２０は、樹脂を射出成形することにより、一体に形成される。
リセプタクルハウジング２０は、プラグコネクタ５０が嵌合される嵌合部２１を前側に備えている。嵌合部２１には、仕切り壁２２、２３により仕切られた３つの受容キャビティ２４〜２６が形成されている。プラグコネクタ５０は、この受容キャビティ２４〜２６に挿入されることにより、リセプタクルコネクタ１０と互いに嵌合される。
【００１２】
リセプタクルハウジング２０は、カバー２７を後側に備えている。カバー２７は、上壁２８と、左右一対の側壁２９、３０とから構成される。上壁２８と側壁２９、３０とで囲まれたカバー２７の内部に、タイン部４３を含むコンタクト４０の後端部が配置される。
【００１３】
嵌合部２１とカバー２７との境界には、コンタクト保持壁３１が形成されている（図３、図４）。コンタクト４０は、コンタクト保持壁３１に形成される保持孔３２に圧入されることにより、リセプタクルハウジング２０に保持される。
コンタクト保持壁３１は、基部３３から受容キャビティ２４（２５、２６）に向けて突出する凸部３４を備えている。基部３３と凸部３４の前端面が、受容キャビティ２４（２５、２６）の底面をなしている。保持孔３２は基部３３よりも肉厚が厚い凸部３４に形成されているので、コンタクト４０は凸部３４を貫通する。凸部３４は、圧入されるコンタクト４０を保持するのに十分な圧入代が得られる厚さを有している。
【００１４】
本実施の形態では、複数本（図５の例では１０本）のコンタクト４０を１つのブロックとみなし、ブロックごとに一つの凸部３４を設けている。本発明は、１本のコンタクト４０ごとに凸部３４を独立して設けることもできるが、射出成形に用いる金型に凸部３４に対応する微細なキャビティを形成するのは困難であるか、形成できたとしても製作コストを上昇させる。したがって、本実施の形態のように、ブロックごとに凸部３４を設けることが好ましい。そうすることにより、リセプタクルハウジング２０の製作容易性を確保しつつ、コンタクト４０を保持するのに十分な圧入代を得ることができる。
凸部３４の突出高さは、コンタクト４０を保持するのに十分な圧入代を得ることができるように、基部３３の肉厚を考慮して設定されるべきである。
なお、リセプタクルハウジング２０において、基板が配置される側を下、その反対側を上とする。また、リセプタクルハウジング２０において、プラグコネクタ５０が嵌合される側を前、タインプレート４５、４７が配置される側を後とする。この定義は、本願発明にも適用されるものとする。
【００１５】
＜コンタクト４０＞
雄型のコンタクト（第１コンタクト）４０は、プラグコネクタ５０のコンタクト７０に接触する接触部４１と、基板の接続孔に挿入されるタイン部４３を先端に有する垂下部４２と、接触部４１と垂下部４２とを繋ぐ屈曲部４４とを有している（図３）。
接触部４１は相手コネクタとの嵌合方向と略平行に延びており、垂下部４２は当該嵌合方向と略直交する方向に延びている。コンタクト４０は、薄い金属板を打ち抜くと共に、屈曲部４４においておよそ９０°に折り曲げて形成されるものである。コンタクト４０は、例えば銅合金のような高導電性かつ高弾性の材料から構成される。
【００１６】
複数のコンタクト４０は、コンタクト保持壁３１に圧入されることにより、リセプタクルハウジング２０に保持される。この状態で、各コンタクト４０は、タイン部４３が、基板の接続孔に挿入される。各コンタクト４０のタイン部４３は、互いに平行に配列されており、且つ全てのコンタクト４０のタイン部４３は、基板の接続孔と対応するように配列されている。タイン部４３は、接続孔においてはんだ付けにより基板に固着される。
【００１７】
コンタクト４０は、リセプタクルハウジング２０の幅方向に沿って複数配列され、また、リセプタクルハウジング２０の上下方向に沿って複数配列されている。リセプタクルハウジング２０の上下方向において、垂下部４２がコンタクト保持壁３１から最も近い最下段コンタクト４０は、コンタクト保持壁３１の背面から突出する接触部４１の長さ（以下、突出長）が短く、かつタインプレート４５までの垂下部４２の長さ（以下、垂下長）が短い。このコンタクト４０は、タインプレート４５から接触部４１までの距離が最も短い。逆に、上下方向において、垂下部４２がコンタクト保持壁３１から最も遠いコンタクト４０は、突出長が長く、かつ垂下長が長い。
【００１８】
＜タインプレート４５、４７＞
タインプレート４５、４７には、その上下両面に貫通する複数の位置決め孔４６、４８が、複数のコンタクト４０のタイン部４３と同じ配列で形成されている。位置決め孔４６、４８には、通常、コンタクト４０のタイン部４３を挿入しやすいように、上端にテーパが形成される。
【００１９】
タインプレート４５（４７）をリセプタクルハウジング２０に組み付ける際には、コンタクト４０をコンタクト保持壁３１に圧入して、タイン部４３を所定の整列状態とした後に、タインプレート４５（４７）をカバー２７の下方からコンタクト４０に接近させる。このとき、各コンタクト４０と対応する位置決め孔４６（４８）とを位置合わせする。仮に、タイン部４３の位置がずれていても、位置決め孔４６（４８）に当該タイン部４３を挿通することにより、位置ずれを矯正することができる。全てのタイン部４３を対応する位置決め孔４６（４８）に挿通することにより、全てのタイン部４３と基板の接続孔との位置合わせを行うことができる。タインプレート４５（４７）を、リセプタクルハウジング２０の所定位置まで押し込むことにより、リセプタクルハウジング２０に対するタインプレート４５（４７）の組み付けは完了する。
【００２０】
次に、プラグコネクタ５０の主たる要素について説明する。
＜プラグハウジング６０＞
複数のコンタクト７０を保持する雄型のプラグハウジング（第２ハウジング）６０は、樹脂を射出成形することにより、一体に形成される。
プラグハウジング６０は、その前端面に、基部６１と、基部６１から後に向けてへこむ凹部６２を備えている。
凹部６２は、リセプタクルハウジング２０の凸部３４に対応する位置に形成されており、また、凹部６２は、凸部３４の外径の寸法と一致するように、その寸法が設定されている。したがって、プラグコネクタ５０とリセプタクルコネクタ１０とが完全に嵌合されると、凹部６２内に凸部３４がほとんど隙間なく挿入される。また、このとき、プラグハウジング６０の基部６１は、リセプタクルハウジング２０の基部３３と凸部３４とで形成される段差部分に隙間なく挿入される。
【００２１】
プラグハウジング６０は、凹部６２後端から延びる複数のキャビティ６３が形成され、さらに各キャビティ６３の後端から保持孔６５が形成されている。コンタクト７０は、保持孔６５に圧入されることにより、プラグハウジング６０に保持される。プラグハウジング６０に保持されるコンタクト７０の前端側は、キャビティ６３内に露出される。
なお、図示していないが、プラグハウジング６０とリセプタクルハウジング２０とを相互に抜け止めするためのロック機構を適宜設けることができる。また、プラグハウジング６０において、リセプタクルハウジング２０が嵌合される側を前、その反対側を後とする。この定義は、本願発明にも適用されるものとする。
【００２２】
＜コンタクト７０＞
雌型のコンタクト（第２コンタクト）７０は、リセプタクルコネクタ１０のコンタクト４０に接触する接触部を含み、中空構造をなしている。コンタクト７０は、所定幅の薄い金属板を角柱状に折り曲げて形成されるものであり、例えば銅合金のような高導電性かつ高弾性の材料から構成される。
【００２３】
複数のコンタクト７０は、プラグハウジング６０の保持孔６５に圧入されることにより、プラグハウジング６０に保持される。この状態で、各コンタクト７０は、先端部がキャビティ６３に露出し、この露出した部分において、コンタクト４０がコンタクト７０内部に挿入され、コンタクト４０とコンタクト７０とが電気的に接続される。また、コンタクト７０は、後端部がプラグハウジング６０の後端から露出してワイヤハーネスに接続される。
コンタクト７０は、コンタクト４０に対応してプラグハウジング６０の幅方向に沿って、また、プラグハウジング６０の上下方向に沿って複数配列されている。
【００２４】
電気コネクタ組立体１は、リセプタクルハウジング２０に凸部３４を設け、また、プラグハウジング６０に凹部６２を設け、リセプタクルコネクタ１０とプラグコネクタ５０とが互いに嵌合された状態で、凹部６２に凸部３４が隙間なく挿入される。さらに、コンタクト４０は、凸部３４及び凹部６２を貫通して、対応するコンタクト７０と接触される。このように構成することにより、電気コネクタ組立体１は、以下の作用、効果を得ることができる。
【００２５】
電気コネクタ組立体１は、リセプタクルハウジング２０が凸部３４を備えており、コンタクト４０を圧入する保持孔３２がこの凸部３４に形成されている。したがって、コンタクト保持壁３１が基部３３のみからなる場合にくらべて、コンタクト４０の圧入代を長くできるので、リセプタクルハウジング２０は、コンタクト４０を保持する力が強い。
【００２６】
また、電気コネクタ組立体１は、リセプタクルコネクタ１０とプラグコネクタ５０とが互いに嵌合された状態で、プラグハウジング６０の凹部６２にリセプタクルハウジング２０の凸部３４が挿入される。したがって、コンタクト４０とコンタクト７０との接触長さをより長くすることができるので、プラグコネクタ５０に繋がっているワイヤハーネスが何らかの理由により引っ張られたとしても、コネクタ４０とコネクタ７０との接触を維持しやすい。
【００２７】
例えば、図８に示すように、コンタクト保持壁３１が凸部３４を備えることなく、受容キャビティの底面が平坦な場合（比較例１）には、コンタクト４０を保持する力が不足する。一方、図９に示すように、コンタクト保持壁３１が、凸部３４と同等の肉厚を有するが、プラグハウジング６０に凹部６２がない場合（比較例２）には、コンタクト保持壁３１からコンタクト７０までの距離が長くなり、コンタクト４０とコンタクト７０との接触長さが短くなる。
【００２８】
＜第２実施形態＞
本発明による第２実施形態について図６を参照して説明する。
本発明は、第１実施形態のように単体のプラグハウジング６０で構成される場合に限らず、ハウジング本体９０と、ハウジング本体９０を収容するカバーハウジング１００とからなるプラグハウジング１１０を有するプラグコネクタ８０に適用することができる。
【００２９】
リセプタクルコネクタ１０は、上下方向の寸法が、基部３３が小さく、凸部３４が大きく設定されている点を除いて、第１実施形態と同じ構成を有している。
【００３０】
ハウジング本体９０は、前端から後端に向けて延びる複数のキャビティ９３が形成され、さらに各キャビティ９３の後端から保持孔９５が形成されている。コンタクト７０は、保持孔９５に圧入されることにより、ハウジング本体９０に保持される。ハウジング本体９０に保持されるコンタクト７０の前端側は、キャビティ９３内に露出される。ハウジング本体９０の前端面９１は、キャビティ９３の部分を除き平坦面となっている。
【００３１】
カバーハウジング１００は、ハウジング本体９０を収容するキャビティ１０３を備え、前端が開口する箱状の形態をなしている。ハウジング本体９０がキャビティ１０３の奥まで挿入された状態で、カバーハウジング１００の前端面１０５は、ハウジング本体９０の前端面９１よりも前に突出している。したがって、プラグハウジング１１０の前端面には凹部が形成される。
【００３２】
リセプタクルコネクタ１０とプラグコネクタ８０とからなる電気コネクタ組立体２は、リセプタクルハウジング２０に凸部３４を設け、また、プラグハウジング１１０の前端面に凹部を設け、リセプタクルコネクタ１０とプラグコネクタ８０とが互いに嵌合された状態で、凹部に凸部３４が挿入される。このように構成される電気コネクタ組立体２もまた、第１実施形態と同様に、リセプタクルハウジング２０がコンタクト４０を保持する力が強い。また、リセプタクルコネクタ１０とプラグコネクタ８０とが互いに嵌合された状態で、プラグハウジング１１０の凹部にリセプタクルハウジング２０の凸部３４が挿入されるので、コンタクト４０の接触部とコンタクト７０との接触長さをより長くすることができる。
【００３３】
図６に示した例では、前端が開口するカバーハウジング１００を示したが、図７に示すように、本発明は、前側壁１０７を設け前記開口が閉じられたカバーハウジング１００に適用できる。この場合でも、プラグハウジング１１０の前端面に、凸部３４に対応する凹部を設けることができる。前側壁１０７は、この凹部に対応する。ただし、前側壁１０７が厚くなると、凹部を設けことによる効果が滅失されるので、この点を考慮して、前側壁１０７の肉厚を設定する必要がある。
【００３４】
以上、本発明を好適な実施形態に基づいて説明したが、本発明はこれら実施形態に限定されるものでない。
第１、第２実施形態は、リセプタクルコネクタ１０が基板に実装されるコネクタ組立体を示したが、雌型の第１コネクタ、雄型の第２コネクタともに基板に実装されないタイプのコネクタ組立体に本発明を適用できる。
また、リセプタクルコネクタ１０が備えるコンタクト４０はＬ字状をしているが、コンタクトの形状は本発明において任意であり、例えば、雄コンタクト、雌コンタクトともに真直ぐなものにも適用できる。
これ以外にも、本発明の主旨を逸脱しない限り、上記実施の形態で挙げた構成を取捨選択し、あるいは他の構成に適宜変更することが可能である。
【図面の簡単な説明】
【００３５】
【図１】本発明の第１実施形態に係るコネクタ組立体を構成するリセプタクルハウジングを前方から視た斜視図である。
【図２】本発明の第１実施形態に係るコネクタ組立体を構成するリセプタクルハウジングを後方から視た斜視図である。
【図３】本発明の第１実施形態に係るコネクタ組立体を示す横断面図である。
【図４】本発明の第１実施形態に係るコネクタ組立体を示す横断面図であって、リセプタクルコネクタとプラグコネクタとを分離して示す図である。
【図５】本発明の第１実施形態に係るリセプタクルハウジングに形成された凸部を示す平面図である。
【図６】本発明の第２実施形態に係るコネクタ組立体の横断面図である。
【図７】本発明の第２実施形態に係るコネクタ組立体の変更例を示す横断面図である。
【図８】比較例１に係るコネクタ組立体を示す横断面図である。
【図９】比較例２に係るコネクタ組立体を示す横断面図である。
【符号の説明】
【００３６】
１，２…電気コネクタ組立体
１０…リセプタクルコネクタ（第１コネクタ）
２０…リセプタクルハウジング（第１ハウジング）、２１…嵌合部、２２，２３…仕切り壁、２４〜２６…受容キャビティ、２７…カバー、２８…上壁、２９，３０…側壁、３１…コンタクト保持壁、３２…保持孔、３３…基部、３４…凸部
４０…コンタクト
４５…タインプレート
５０，８０…プラグコネクタ（第２コネクタ）
６０，１１０…プラグハウジング（第２ハウジング）、６１…基部、６２…凹部、６３…キャビティ、６５…保持孔、９０…ハウジング本体（第２ハウジング）、９１…前端面、９３…キャビティ、９５…保持孔、１００…カバーハウジング（第２ハウジング）、１０３…キャビティ、１０５…前端面、１０７…前側壁
７０…コンタクト
【図１】
2010113976.tif 000003
【図２】
2010113976.tif 000004
【図３】
2010113976.tif 000005
【図４】
2010113976.tif 000006
【図５】
2010113976.tif 000007
【図６】
2010113976.tif 000008
【図７】
2010113976.tif 000009
【図８】
2010113976.tif 000010
【図９】
2010113976.tif 000011